(57)【要約】【課題】色再現と輝度重視の状態の切り換え後にも、投射像のホワイトバランスの調整が簡易に達成されるプロジェクタ。【解決手段】フィルタユニット２８を光分割光学系２３内に組み込んでいるので、スクリーン上に投影高輝度状態の画像と高色再現状態の画像とを切り換えて表示できる。つまり、フィルタ部材２８ａを光路上から退避させれば、Ｇ光及びＢ光の光路に十分な輝度の光源光を導くことができ、十分な照明輝度を確保することができる。一方、フィルタ部材２８ａを光路上に挿入した場合、第１フィルタＦＬ１によって、Ｇ光及びＢ光の相対的な強度比を調整することができ、第２フィルタＦＬ２によって、Ｇ光及びＢ光の光路に紛れ込んだ境界光をカットすることができる。【選択図】  図１
2005031435.tif 000002
【特許請求の範囲】
【請求項１】
光源から射出された光源光から第１色の照明光を分岐するとともに、分岐後に残った前記光源光から第２及び第３色の照明光を互いに分離する色分割光学系と、
前記第１色の照明光を分岐した後であって前記第２及び第３色の各照明光に分離する前の前記光源光の光路上に配置されるとともに、第１面及び第２面を主面として有する基板部材と、前記第１面上に形成されて前記第２及び第３色の照明光を異なる透過率で透過させる光学薄膜からなる第１フィルタと、前記第２面上に形成されて前記第２及び第３色の照明光を透過させるとともに前記第１色若しくは当該第１色に近似する照明光を遮断する光学薄膜からなる第２フィルタとを有するフィルタ部材と
を備えるプロジェクタ用の照明装置。
【請求項２】
前記フィルタ部材は、前記光源光の光路上に退避可能に配置されていることを特徴とする請求項１記載の照明装置。
【請求項３】
前記フィルタ部材を前記光路上の動作位置と当該光路上から外れた退避位置との間で移動させるフィルタ駆動部材をさらに備えることを特徴とする請求項１及び請求項２のいずれか一項記載の照明装置。
【請求項４】
前記第１及び第２フィルタは、それぞれ誘電体多層膜からなることを特徴とする請求項１から請求項３のいずれか一項記載の照明装置。
【請求項５】
請求項１から請求項４のいずれか一項記載の照明装置と、
前記第１乃至第３色の照明光によってそれぞれ照明されるとともに各色の照明光を個別に変調する３つの空間光変調装置と、
前記３つの空間光変調装置からの各色の像光を合成して射出する光合成部材と、
前記光合成部材を経て合成された像光を投射する投射光学系と
を備えるプロジェクタ。
【請求項６】
前記空間光変調装置によって形成される画像の特性に応じて前記フィルタ駆動部材を駆動することにより、前記フィルタ部材を前記動作位置及び前記退避位置のいずれか設定する制御手段をさらに備えることを特徴とする請求項５記載のプロジェクタ。
【発明の詳細な説明】
【０００１】
【発明の属する技術分野】
本発明は、液晶表示パネルその他の空間光変調装置を用いて画像を投射するプロジェクタ用の照明装置等に関する。
【０００２】
【従来の技術】
色再現性を重視した状態と明るさを重視した状態とを切り換えて画像表示を実現することができる投射型表示装置がこれまでに開示されている（特許文献１参照）。
【０００３】
この投射型表示装置では、特定色の光路上であって画像表示素子の前段に波長選択素子であるエッジフィルタを挿脱可能に配置して特定色の純度を調節するとともに、利用者がエッジフィルタの挿脱を確認できるようにしている。
【０００４】
【特許文献１】
特開２００１−９２４１９号公報
【発明が解決しようとする課題】
しかし、上述のようにエッジフィルタを挿脱可能に光路上に配置した場合、色純度を調整することができるだけであり、各色の比率すなわちホワイトバランスの調整は必ずしも達成されない。
【０００５】
なお、上記のエッジフィルタとは別に、特定色を所望量だけ減衰させる透過率調整フィルタを光路上の適所に予め配置しておくことができ、色再現性重視のモードでエッジフィルタを光路上に挿入した場合に、投射像のホワイトバランスが適正に調整されるようにすることも考えられる。しかしながら、このような装置では、光学部品が増加して特性劣化の要因が増加するだけでなく、エッジフィルタを光路から退避させた輝度重視のモードにおいて、ホワイトバランスが劣化し或いは輝度減少が生じる可能性がある。一方、エッジフィルタと透過率調整フィルタとを同期して光路上に挿脱する構成も考えられるが、光学部品が増加するとともに装置構造が複雑化する。
【０００６】
そこで、本発明は、色再現性を重視した状態と輝度を重視した状態とを切り換え可能なプロジェクタ用の照明装置等であって、状態の切り換え後（特に色再現性を重視した状態に切り換えた場合）にも、投射像のホワイトバランスの調整が簡易に達成されるプロジェクタ用の照明装置等を提供することを目的とする。
【０００７】
【課題を解決するための手段】
上記課題を解決するため、本発明に係るプロジェクタ用の照明装置は、光源から射出された光源光から第１色の照明光を分岐するとともに、分岐後に残った光源光から第２及び第３色の各照明光を互いに分離する色分割光学系と、第１色の照明光を分岐した後であって第２及び第３色の各照明光に分離する前の光源光の光路上に配置されるとともに、第１面及び第２面を主面として有する基板部材と、第１面上に形成されて第２及び第３色の照明光を異なる透過率で透過させる光学薄膜からなる第１フィルタと、第２面上に形成されて第２及び第３色の照明光を透過させるとともに第１色若しくは当該第１色に近似する照明光を遮断する光学薄膜からなる第２フィルタとを有するフィルタ部材とを備える。
【０００８】
上記照明装置では、第１色の照明光を分岐した後であって第２及び第３色の照明光に分離する前の光源光の光路上に配置されたフィルタ部材が、第１面上に形成されて第２及び第３色の照明光を異なる透過率で透過させる光学薄膜からなる第１フィルタと、第２面上に形成されて第２及び第３色の照明光を透過させるとともに第１色若しくは当該第１色に近似する照明光を遮断する光学薄膜からなる第２フィルタとを有する。したがって、第１フィルタによって、第２及び第３色の照明光の相対的な透過強度比を調整することができ、第２フィルタによって、第２及び第３色の照明光の光路に導かれた第１色照明光や境界光（具体的には、隣接する第１色と第２色との境界領域の照明光）をカットすることができるので、投射像のホワイトバランスを正確に調節することができる。なお、第１色の照明光と第２及び第３色の照明光との相対的な強度比は、第１フィルタの高透過率側の色（つまり、第２及び第３色）の上限透過率や、第２フィルタの透過波長側の上限透過率の設定を変更すること等によって適宜調節することができる。つまり、本発明のプロジェクタによれば、単一の光学部材を光路上に配置するだけの簡単な構成で、色再現性を損なうことなくホワイトバランスを調整することができ高品位の投射像を形成することができる。ここで、第１フィルタの透過比率調整機能と第２フィルタのカット機能とを単一の誘電体多層膜フィルタで実現することも考えられるが、誘電体多層膜フィルタで目標の特性を得ることは設計的にも極めて困難でコスト増加を招くだけでなく、特性を大きく変動させる境界領域等で特性曲線にリップルが発生し易なるので、必要な照明光が減衰したりホワイトバランスが劣化し或いは不安定になることもある。一方、本発明の照明装置のように第１フィルタと第２フィルタとに役割分担して光量調節を行えば、低コストでありながら全体として所望の特性を達成することができ、しかも単一の光学部品として取り扱うことができる。さらに、基板部材の両面に各フィルタを形成することで、反射防止膜を特別に形成する必要がなくなるという利点もある。
【０００９】
また、本発明の具体的な態様における照明装置では、フィルタ部材が、光源光の光路上に退避可能に配置されている。この場合、フィルタ部材を光路上から退避させることによって、第２及び第３色の照明光の光路に境界光が導かれこの境界光によって色純度が多少低下するものの、全体としての照明光量が増加するので、色再現性を重視した状態から輝度を重視した状態への切り換えが達成される。
【００１０】
また、本発明の別の具体的な態様では、フィルタ部材を当該光路上の動作位置と当該光路上から外れた退避位置との間で移動させるフィルタ駆動部材をさらに備える。この場合、フィルタ駆動部材の動作によって色再現性を重視した状態と輝度を重視した状態との間で簡易に状態を切り換えることができる。
【００１１】
また、本発明の別の具体的な態様では、第１及び第２フィルタが、それぞれ誘電体多層膜からなる。この場合、精密でシャープな透過特性を実現することができるので、高い色再現性と正確なホワイトバランスを達成することができる。
【００１２】
また、本発明に係るプロジェクタは、上述の照明装置と、第１乃至第３色の照明光によってそれぞれ照明されるとともに各色の照明光を個別に変調する３つの空間光変調装置と、３つの空間光変調装置からの各色の像光を合成して射出する光合成部材と、光合成部材を経て合成された像光を投射する投射光学系とを備える。ここで、「空間光変調装置」とは、例えば液晶ライトバルブ、デジタルミラーデバイス（ＤＭＤ）等に代表される非発光型の表示デバイスである。この場合、空間光変調装置を利用した高精度の投射像を光合成部材及び投射光学系を介してスクリーン上に投射することができる。
【００１３】
また、本発明の具体的な態様におけるプロジェクタでは、空間光変調装置によって形成される画像の特性に応じてフィルタ駆動部材を駆動することにより、フィルタ部材を動作位置及び退避位置のいずれか設定する制御手段をさらに備える。この場合、表示画像の特性に応じて色再現性を重視した状態と輝度を重視した状態とを自動的に切り換えるので、状況に応じた適切な画像を自動的に投射することができる。
【００１４】
【発明の実施の形態】
以下、本発明の一実施形態に係るプロジェクタの構造について図面を参照しつつ説明する。
【００１５】
図１は、第１実施形態のプロジェクタの光学系を説明する図である。このプロジェクタ１０は、光源光を発生する光源装置２１と、光源装置２１からの光源光をＲＧＢの３色に分割する光分割光学系２３と、光分割光学系２３から射出された各色の照明光によって照明される光変調部２５と、光変調部２５からの各色の像光を合成する光合成部材であるクロスダイクロイックミラー２７と、クロスダイクロイックミラー２７を経た像光をスクリーン（不図示）に投射するための投射光学系である投射レンズ２９とを備える。さらに、プロジェクタ１０は、光分割光学系２３中の光路上に退避可能に配置されて色再現性を損なうことなくホワイトバランスを調整することができるフィルタユニット２８と、光変調部２５に組み込まれている各色の空間光変調装置（後に詳述）に対して駆動信号を出力する画像処理部４０と、上述の光源装置２１、フィルタユニット２８、画像処理部４０等を適宜動作させることにより装置全体を統括的に制御する制御装置５０とを備える。
【００１６】
光源装置２１は、光源ランプ２１ａと、一対のフライアイ光学系２１ｂ，２１ｃと、偏光変換部材２１ｄと、重畳レンズ２１ｅとを備える。ここで、光源ランプ２１ａは、例えば高圧水銀ランプからなり、光源光をコリメートするための凹面鏡を備える。また、一対のフライアイ光学系２１ｂ，２１ｃは、マトリックス状に配置された複数の要素レンズからなり、これらの要素レンズによって光源ランプ２１ａからの光源光を分割して個別に集光・発散させる。偏光変換部材２１ｄは、フライアイ２１ｃから射出した光源光を図１の紙面に垂直なＳ偏光成分のみに変換して次段光学系に供給する。重畳レンズ２１ｅは、偏光変換部材２１ｄを経た照明光を全体として適宜収束させて、各色の空間光変調装置に対する重畳照明を可能にする。つまり、両フライアイ光学系２１ｂ，２１ｃと重畳レンズ２１ｅとを経た照明光は、以下に詳述する光分割光学系２３を経て、光変調部２５に設けられた各色の空間光変調装置すなわち各色の液晶ライトバルブ２５ａ〜２５ｃを均一に重畳照明する。
【００１７】
光分割光学系２３は、第１及び第２ダイクロイックミラー２３ａ，２３ｂと、３つのフィールドレンズ２３ｆ〜２３ｈと、反射ミラー２３ｉ，２３ｊ，２３ｋとを備え、光源装置２１とともに照明装置を構成する。第１ダイクロイックミラー２３ａは、ＲＧＢの３色のうちＲ光を反射しＧ光及びＢ光を透過させる。また、第２ダイクロイックミラー２３ｂは、ＧＢの２色のうちＧ光を反射しＢ光を透過させる。この光分割光学系２３において、第１ダイクロイックミラー２３ａで反射されたＲ光は、Ｓ偏光のまま、反射ミラー２３ｉを経て入射角度を調節するためのフィールドレンズ２３ｆに入射する。また、第１ダイクロイックミラー２３ａを通過して第２ダイクロイックミラー２３ｂで反射されたＧ光は、λ／２位相差板２３ｄを経てＳ偏光からＰ偏光に変換されてフィールドレンズ２３ｇに入射する。さらに、第２ダイクロイックミラー２３ｂを通過したＢ光は、Ｓ偏光のまま、光路差を補償するためのリレーレンズＬＬ１，ＬＬ２及び反射ミラー２３ｊ，２３ｋを経て入射角度を調節するためのフィールドレンズ２３ｈに入射する。
【００１８】
フィルタユニット２８は、光分割光学系２３内に組み込まれるものであり、Ｒ光、Ｇ光及びＢ光のそれぞれに対して透過率が異なるフィルタ部材２８ａと、フィルタ部材２８ａを一端で枢支して光路上の動作位置と光路上から外れた退避位置との間で可動に保持する支持部材２８ｂと、フィルタ部材２８ａを駆動してその姿勢を調節することによってフィルタ部材２８ａを適宜動作させるためのアクチュエータ２８ｃとを備える。ここで、アクチュエータ２８ｃは、フィルタ部材２８ａを実線で示す動作位置と点線で示す待避位置との間で移動させるフィルタ駆動部材を構成する。
【００１９】
図２は、フィルタ部材２８ａの構造を説明する断面図である。このフィルタ部材２８ａは、透明で薄板状のガラス基板ＧＰの一対の主面すなわち対向する表面に第１及び第２フィルタＦＬ１，ＦＬ２を形成したものである。ガラス基板ＧＰは、可視光領域において高い透過特性を有するものとする。一方の第１フィルタＦＬ１は、透過損失に関する分光特性の設定によって波長ごとの透過率調整を行うべく光学設計された誘電体多層膜からなり、他方の第２フィルタＦＬ２は、長波長カット型のエッジフィルタとして光学設計された誘電体多層膜からなる。
【００２０】
図３（ａ）は第１フィルタＦＬ１の分光透過率の一実施例を示すグラフであり、図３（ｂ）は第２フィルタＦＬ２の分光透過率の一実施例を示すグラフである。図３（ａ）からも明らかなように、第１フィルタＦＬ１は、波長４００ｎｍ〜４８０ｎｍのＢ光を約７５％透過させ、波長４８０ｎｍ〜５７０ｎｍのＧ光を約５５％透過させるので、Ｂ光とＧ光とを７５：５５の比率で減衰して透過させることができる。一方、図３（ｂ）からも明らかなように、第２フィルタＦＬ２は、波長５７０ｎｍ以下のＢ光及びＧ光をほぼ完全に透過させるが、波長５８０ｎｍ以上のＲ光やＧとの境界光を遮断する。
【００２１】
図４は、フィルタ部材２８ａ全体としての分光透過率を示すグラフである。実線で示すように、第１フィルタＦＬ１の分光透過率（二点鎖線）と第２フィルタＦＬ２の分光透過率（一点鎖線）とを重ね合わせること、つまり透過率の積算によって、Ｇ、Ｂの両色で平坦であるが異なる透過率を有する透過特性を達成することができる。具体的には、第１及び第２フィルタＦＬ１，ＦＬ２からなるフィルタ部材２８ａを通過させることで、Ｂ光を２５％減衰させ、Ｇ光を３５％減衰させ、境界光である波長５７５ｎｍ〜６００ｎｍの光をほぼ９０％減衰させることができる。なお、点線で囲んだ一対の領域ＡＧ，ＡＢは、色再現性を確保する観点で重要な領域であるが、両領域ＡＧ，ＡＢともに平坦な分光透過特性を達成しており、照明光に関して所望のカラーバランスを安定して実現することができ、高品位の画像を投射することができることが分かる。
【００２２】
図５は、比較のための図であり、フィルタ部材の片面にのみ誘電体多層膜を積層して図４と等価な分光透過率を達成しようとした場合を示す。この場合も、Ｂ光を２５％減衰させ、Ｇ光を３５％減衰させ、境界光である波長５７５ｎｍ〜６００ｎｍのＲ光をほぼ９０％減衰させる分光透過特性を持たせるが、点線で囲んだ一対の領域ＡＧ，ＡＢでリップルがかなり目立つ特性となっている。この結果、照明光に関して所望のカラーバランスを実現することが困難となり、高品位の画像を投射する上で障害となる。しかも、比較例のような誘電体多層膜は、高度の設計技術及び製造技術を要するので、一般にあまり量産に向かず高価なものとなる。
【００２３】
図１に戻って、光変調部２５は、それぞれが空間光変調装置である３つの液晶ライトバルブ２５ａ〜２５ｃと、各液晶ライトバルブ２５ａ〜２５ｃを挟むように配置される３組の偏光フィルタ２５ｅ〜２５ｇとを備える。第１ダイクロイックミラー２３ａで反射されたＲ光は、フィールドレンズ２３ｆを介して液晶ライトバルブ２５ａに入射する。第１ダイクロイックミラー２３ａやフィルタ部材２８ａを透過して第２ダイクロイックミラー２３ｂで反射されたＧ光は、λ／２位相差板２３ｄ及びフィールドレンズ２３ｇを介して液晶ライトバルブ２５ｂに入射する。第１及び第２ダイクロイックミラー２３ａ，２３ｂの双方を透過したＢ光は、中間を省略するがフィールドレンズ２３ｈを介して液晶ライトバルブ２５ｃに入射する。各液晶ライトバルブ２５ａ〜２５ｃは、入射した照明光の空間的強度分布を変調する非発光型の空間光変調装置であり、各液晶ライトバルブ２５ａ〜２５ｃにそれぞれ入射した３色の光は、各液晶ライトバルブ２５ａ〜２５ｃに電気的信号として入力された駆動信号或いは画像信号に応じて変調される。その際、偏光フィルタ２５ｅ〜２５ｇによって、各液晶ライトバルブ２５ａ〜２５ｃに入射する照明光の偏光方向が調整されるとともに、各液晶ライトバルブ２５ａ〜２５ｃから射出される変調光から所定の偏光方向の変調光が取り出される。
【００２４】
クロスダイクロイックプリズム２７は、光合成部材であり、Ｒ光反射用の誘電体多層膜２７ａとＢ光反射用の誘電体多層膜２７ｂとを直交させた状態で内蔵するものであり、液晶ライトバルブ２５ａからのＲ光を誘電体多層膜２７ａで反射して進行方向右側に射出させ、液晶ライトバルブ２５ｂからのＧ光を誘電体多層膜２７ａ，２７ｂを介して直進・射出させ、液晶ライトバルブ２５ｃからのＢ光を誘電体多層膜２７ｂで反射して進行方向左側に射出させる。このようにして、クロスダイクロイックプリズム２７で重ね合わされた合成光はスクリーンに所望のサイズの画像を投射するための投射レンズ２９に入射する。この際、液晶ライトバルブ２５ａ，２５ｃから射出される像光を両誘電体多層膜２７ａ，２７ｂに垂直な入射面に対して垂直方向に振動するＳ偏光とし、液晶ライトバルブ２５ｂから射出される像光を上記入射面内で振動するＰ偏光とすることによって、各誘電体多層膜２７ａ，２７ｂによる各Ｒ，Ｂ光の反射効率を高めつつ、両誘電体多層膜２７ａ，２７ｂによるＧ光の透過効率を高めている。
【００２５】
画像処理部４０は、光変調部２５に設けた各液晶ライトバルブ２５ａ〜２５ｃに対して駆動信号を出力する。画像処理部４０には、パーソナルコンピュータ等からのデジタル画像信号とビデオ再生装置等からのビデオ画像信号とが切替え装置６１を介して選択的に入力される。画像処理部４０では、画像信号の内容を判断して各液晶ライトバルブ２５ａ〜２５ｃに出力する駆動信号を生成するが、この際、画像信号の内容すなわち画像信号がデジタル画像信号であるかビデオ画像信号であるかに応じてアクチュエータ２８ｃを適宜動作させることによって色再現性を重視した状態と輝度を重視した状態とを自動的に切り換える。例えば、デジタル画像信号が入力されている場合、制御手段である制御装置５０は、アクチュエータ２８ｃを適宜動作させてフィルタ部材２８ａを光路上から退避させ、フィルタユニット２８を高輝度状態の設定とする。これにより、クッキリとした高輝度画像の投射が可能になる。一方、ビデオ画像信号が入力されている場合、制御手段である制御装置５０は、アクチュエータ２８ｃを適宜動作させてフィルタ部材２８ａを光路上に挿入し、フィルタユニット２８を色再現性重視状態の設定とする。これにより、自然な発色で色の濁りの少ない高画質画像の投射が可能になる。なお、フィルタユニット２８を高輝度状態と色再現性重視状態とのいずれの設定に切り換えるかの判断は、入力信号がデジタル及びビデオのいずれの画像信号であるか否かに限らず、画像の種類（例えば白が支配的な画像であるか否かや、スライド的な画像であるか否か等）その他の条件に応じたものとすることができる。さらに、プロジェクタ１０の周囲に設けられた操作パネル６２を利用してフィルタユニット２８を高輝度状態と高色再現状態との間で切り換えて設定することもできる。この場合、ユーザが自らの意思で、色再現性を多少犠牲にしても高輝度画像をスクリーン上に投射したり、輝度を多少犠牲にしても自然な発色の高画質画像をスクリーン上に投射したりすることができる。
【００２６】
以下、本実施形態に係るプロジェクタ１０の動作について説明する。光源装置２１からの光源光は、光分割光学系２３に設けた第１及び第２ダイクロイックミラー２３ａ，２３ｂによって色分割され、対応する液晶ライトバルブ２５ａ〜２５ｃに照明光としてそれぞれ入射する。各液晶ライトバルブ２５ａ〜２５ｃは、外部からの画像信号によって変調されて２次元的屈折率分布を有しており、照明光を２次元空間的に画素単位で変調する。このように、各液晶ライトバルブ２５ａ〜２５ｃで変調された照明光すなわち像光は、クロスダイクロイックプリズム２７で合成された後投射レンズ２９に入射する。投射レンズ２９に入射した像光は、不図示のスクリーンに投影される。この際、上述のフィルタユニット２８を光分割光学系２３内に組み込んでいるので、スクリーン上に高輝度状態の画像と高色再現状態の画像とを切り換えて表示できる。つまり、フィルタ部材２８ａを光路上から退避させれば、Ｇ光及びＢ光の光路に十分な輝度の光源光を導くことができ、高い照明輝度を確保することができる。一方、フィルタ部材２８ａを光路上に挿入した場合、第１フィルタＦＬ１によってＧ光及びＢ光の相対的な強度比及び全体強度を調整することができ、第２フィルタＦＬ２によってＧ光及びＢ光の光路に紛れ込んだ境界光（具体的には、波長５７５ｎｍ〜６００ｎｍの光）をカットすることができる。
【００２７】
以上、実施形態に即して本発明を説明したが、本発明は上記実施形態に限定されるものではない。例えば、フィルタ部材２８ａを構成する第１及び第２フィルタＦＬ１，ＦＬ２の順番（入射面側と射出面側とのいずれに配置するか）は入れ換えることができ、このように入れ換えた場合にも全体の特性は変化しない。
【００２８】
また、上記実施形態では、Ｇ光及びＢ光の２色が通過する光路上にフィルタ部材２８ａを挿脱可能に設置しているが、Ｒ光或いはＢ光等の特定色のみが通過する光路に、上記フィルタ部材２８ａと同一構造を有し適当な特性の一対のフィルタを備えるフィルタ部材を設置することもできる。この場合、単色内の複数の異なる波長の出力ピークの比率を調整することができる。
【００２９】
また、上記実施形態では、Ｇ光及びＢ光の共通光路上にフィルタ部材２８ａを配置しているが、例えば予めＢ光を分岐してその後にＲ光及びＧ光を分離する光分割方式では、Ｒ光及びＧ光の共通光路上に上記フィルタ部材２８ａと同一構造を有し分光透過率の特性が異なるフィルタ部材を設置することになる。
【００３０】
また、上記実施形態では、第１フィルタＦＬ１等をエッジフィルタとしているがこれを、境界光を含む広い意味でのＲ光を遮断することができるバンドカットフィルタ等に置き換えることもできる。
【図面の簡単な説明】
【図１】第１実施形態のプロジェクタの光学系を説明する図である。
【図２】フィルタ部材の構造を説明する断面図である。
【図３】（ａ）、（ｂ）は第１及び第２フィルタの分光透過率を示すグラフ。
【図４】フィルタ部材全体としての分光透過率を示すグラフ。
【図５】比較例のフィルタ部材の分光透過率を示す図である。
【符号の説明】
２１  光源装置、    ２１ａ  光源ランプ、    ２１ｄ  偏光変換部材、    ２３  光分割光学系、    ２３ａ  第１ダイクロイックミラー、    ２３ｂ  第２ダイクロイックミラー、    ２３ｃ  第３ダイクロイックミラー、    ２３ｄ（λ／２）板、    ２５  光変調部、    ２５ａ〜２５ｃ  液晶ライトバルブ、    ２５ｅ〜５６ｇ  偏光フィルタ、    ２７  クロスダイクロイックプリズム、    ２８  フィルタユニット、    ２８ａ  フィルタ部材、    ２８ｃ  アクチュエータ    ２９  投射レンズ、    ＦＬ１  第１フィルタ、    ＦＬ１，ＦＬ２  第２フィルタ
【図１】
2005031435.tif 000003
【図２】
2005031435.tif 000004
【図３】
2005031435.tif 000005
【図４】
2005031435.tif 000006
【図５】
2005031435.tif 000007